(57)【要約】      （修正有）【課題】高ズーム比でズーム全域で良好な光学特性が得られるズームレンズ及びそれを有する撮像装置を提供すれる。【解決手段】物体側から像側へ順に配置された、正の屈折力の第１レンズ群Ｌ１、負の屈折力の第２レンズ群Ｌ２、１つ以上のレンズ群を含む全体として正の屈折力の後群ＬＢより構成され、広角端から望遠端へのズーミングに際して、第１レンズ群Ｌ１が物体側に移動し、ズーミングに際して隣り合うレンズ群の間隔が変化するズームレンズにおいて、第２レンズ群Ｌ２は３枚以上の負レンズと２枚以上の正レンズを有し、第２レンズ群Ｌ２に含まれる負レンズの材料の屈折率の平均値Ｎｎａ、第２レンズ群Ｌ２に含まれる正レンズの材料の屈折率の平均値Ｎｐａを各々適切に設定すること。【選択図】図１
2018146758.tif 000002
【特許請求の範囲】
【請求項１】
物体側から像側へ順に配置された、正の屈折力の第１レンズ群、負の屈折力の第２レンズ群、１つ以上のレンズ群を含む全体として正の屈折力の後群ＬＢより構成され、広角端から望遠端へのズーミングに際して、前記第１レンズ群が物体側に移動し、ズーミングに際して隣り合うレンズ群の間隔が変化するズームレンズにおいて、
前記第２レンズ群は３枚以上の負レンズと２枚以上の正レンズを有し、前記第２レンズ群に含まれる負レンズの材料の屈折率の平均値をＮｎａ、前記第２レンズ群に含まれる正レンズの材料の屈折率の平均値をＮｐａとするとき、
１．０＜Ｎｎａ／Ｎｐａ＜２．０
なる条件式を満足することを特徴とするズームレンズ。
【請求項２】
望遠端における全系の焦点距離をｆｔ、前記第２レンズ群の焦点距離をｆ２とするとき、
０．０１＜｜ｆ２／ｆｔ｜＜０．１０
なる条件式を満足することを特徴とする請求項１に記載のズームレンズ。
【請求項３】
前記第１レンズ群の焦点距離をｆ１、広角端における全系の焦点距離をｆｗとするとき、
５．０＜ｆ１／ｆｗ＜４０．０
なる条件式を満足することを特徴とする請求項１又は２に記載のズームレンズ。
【請求項４】
前記第２レンズ群に含まれる正レンズの焦点距離の平均値をｆｐａとするとき、
０．５＜｜ｆｐａ／ｆ２｜＜６．０
なる条件式を満足することを特徴とする請求項１乃至３のいずれか１項に記載のズームレンズ。
【請求項５】
請求項１乃至４のいずれか１項に記載のズームレンズにおいて、
１．６０＜Ｎｐａ＜１．９５
なる条件式を満足することを特徴とするズームレンズ。
【請求項６】
前記第２レンズ群は接合レンズを含み、前記接合レンズは像側に凸面を向けたレンズ面を有することを特徴とする請求項１乃至５のいずれか１項に記載のズームレンズ。
【請求項７】
望遠端における全系の焦点距離をｆｔ、広角端から望遠端へのズーミングにおける前記第２レンズ群の移動量をｍ２とするとき、
０．０＜ｍ２／ｆｔ＜３．０
なる条件式を満足することを特徴とする請求項１乃至６のいずれか１項に記載のズームレンズ。
【請求項８】
前記後群は、物体側から像側へ順に配置された、正の屈折力の第３レンズ群、負の屈折力の第４レンズ群、正の屈折力の第５レンズ群から構成されることを特徴とする請求項１乃至７のいずれか１項に記載のズームレンズ。
【請求項９】
前記後群は、物体側から像側へ順に配置された、正の屈折力の第３レンズ群、負の屈折力の第４レンズ群、正の屈折力の第５レンズ群、負の屈折力の第６レンズ群から構成されることを特徴とする請求項１乃至７のいずれか１項に記載のズームレンズ。
【請求項１０】
前記後群は、物体側から像側へ順に配置された、正の屈折力の第３レンズ群、負の屈折力の第４レンズ群、負の屈折力の第５レンズ群から構成されることを特徴とする請求項１乃至７のいずれか１項に記載のズームレンズ。
【請求項１１】
前記後群は、物体側から像側へ順に配置された、正の屈折力の第３レンズ群、負の屈折力の第４レンズ群、負の屈折力の第５レンズ群、正の屈折力の第６レンズ群から構成されることを特徴とする請求項１乃至７のいずれか１項に記載のズームレンズ。
【請求項１２】
固体撮像素子に像を形成することを特徴とする請求項１乃至１１のいずれか１項に記載のズームレンズ。
【請求項１３】
請求項１乃至１２のいずれか１項に記載のズームレンズと、該ズームレンズによって形成された像を受光する固体撮像素子とを有していることを特徴とする光学系。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、撮像装置は高機能化され、又装置全体が小型化されている。そしてそれに用いる撮像光学系としてはレンズ全長が短く、コンパクト（小型）で、高ズーム比（高変倍比）のズームレンズであること等が要求されている。これらの要求に応えるズームレンズとして、最も物体側に正の屈折力のレンズ群を配置したポジティブリード型のズームレンズが知られている（特許文献１乃至３）。
【０００３】
特許文献１では物体側より像側へ順に、正、負、正、負、正の屈折力の第１レンズ群ないし第５レンズ群より成るズーム比４７程度の５群構成のズームレンズを開示している。特許文献２では物体側より像側へ順に、正、負、正、負、正、負の屈折力の第１レンズ群ないし第６レンズ群より成る６群ズームレンズを開示している。特許文献３では物体側より像側へ順に、正、負、正、負、負、正の屈折力の第１レンズ群ないし第６レンズ群からなる６群ズームレンズを開示している。
【先行技術文献】
【特許文献】
【０００４】
【特許文献１】特開２０１３−１７８２９８号公報
【特許文献２】特開平０７−２６１０７９号公報
【特許文献３】特開２０１２−０４７８１４号公報
【発明の概要】
【発明が解決しようとする課題】
【０００５】
ポジティブリード型のズームレンズは全系の小型化を図りつつ、高ズーム比化を図ることが比較的容易である。物体側から像側へ順に、正の屈折力の第１レンズ群、負の屈折力の第２レンズ群、それに続く１つ以上のレンズ群を含む後群よりなるポジティブリード型のズームレンズでは、第２レンズ群が主たる変倍作用をする。また第１レンズ群の有効径や第１レンズ群のレンズ群厚等の大きさがズームレンズ全体の大きさに大きく影響する。
【０００６】
このため、ポジティブリード型のズームレンズにおいて、全系の小型化を図りつつ、高ズーム比で全ズーム範囲にわたり高い光学性能を得るには、第１レンズ群と第２レンズ群の屈折力やレンズ構成等を適切に設定することが重要になってくる。特に全系の小型化を図りつつ、高ズーム比化を達成するには、ズーミングに際しての第１レンズ群や第２レンズ群の移動方向や移動量等の移動条件を適切に設定することが重要になってくる。これらの構成を適切に設定しないと、全系の小型化を図りつつ、高ズーム比で、しかも全ズーム範囲で高い光学性能のズームレンズを得るのが難しくなってくる。
【０００７】
本発明は、高ズーム比でズーム全域で良好な光学特性が得られるズームレンズ及びそれを有する撮像装置の提供を目的とする。
【課題を解決するための手段】
【０００８】
本発明のズームレンズは、物体側から像側へ順に配置された、正の屈折力の第１レンズ群、負の屈折力の第２レンズ群、１つ以上のレンズ群を含む全体として正の屈折力の後群ＬＢより構成され、広角端から望遠端へのズーミングに際して、前記第１レンズ群が物体側に移動し、ズーミングに際して隣り合うレンズ群の間隔が変化するズームレンズにおいて、前記第２レンズ群は３枚以上の負レンズと２枚以上の正レンズを有し、前記第２レンズ群に含まれる負レンズの材料の屈折率の平均値をＮｎａ、前記第２レンズ群に含まれる正レンズの材料の屈折率の平均値をＮｐａとするとき、
１．０＜Ｎｎａ／Ｎｐａ＜２．０
なる条件式を満足することを特徴としている。
【発明の効果】
【０００９】
本発明によれば、高ズーム比でズーム全域で良好な光学特性が得られるズームレンズ及びそれを有する撮像装置が得られる。
【図面の簡単な説明】
【００１０】
【図１】本発明の実施例１の広角端におけるレンズ断面図
【図２】（Ａ）、（Ｂ）  本発明の実施例１のズームレンズの広角端、望遠端における収差図
【図３】本発明の実施例２の広角端におけるレンズ断面図
【図４】（Ａ）、（Ｂ）  本発明の実施例２のズームレンズの広角端、望遠端における収差図
【図５】本発明の実施例３の広角端におけるレンズ断面図
【図６】（Ａ）、（Ｂ）  本発明の実施例３のズームレンズの広角端、望遠端における収差図
【図７】本発明の実施例４の広角端におけるレンズ断面図
【図８】（Ａ）、（Ｂ）  本発明の実施例４のズームレンズの広角端、望遠端における収差図
【図９】本発明の撮像装置の要部概略図
【発明を実施するための形態】
【００１１】
本発明のズームレンズは、物体側より像側へ順に配置された、正の屈折力の第１レンズ群、負の屈折力の第２レンズ群、その後に続く１つ以上のレンズ群を含む全ズーム範囲にわたり全体として正の屈折力の後群を有している。広角端から望遠端へのズーミングの際に第１レンズ群が光軸上を物体側へ移動する。またズーミングに際して隣り合うレンズ群の間隔が変化する。
【００１２】
図１は本発明の実施例１のズームレンズの広角端（単焦点距離端）におけるレンズ断面図である。図２（Ａ）、（Ｂ）はそれぞれ実施例１のズームレンズの広角端、望遠端（長焦点距離端）における収差図である。実施例１はズーム比９４．２４、Ｆナンバー２．８８〜６．６９のズームレンズである。
【００１３】
図３は本発明の実施例２のズームレンズの広角端におけるレンズ断面図である。図４（Ａ）、（Ｂ）はそれぞれ実施例２のズームレンズの広角端、望遠端における収差図である。実施例２はズーム比９４．２４、Ｆナンバー２．８８〜６．６９のズームレンズである。図５は本発明の実施例３のズームレンズの広角端におけるレンズ断面図である。図６（Ａ）、（Ｂ）はそれぞれ実施例３のズームレンズの広角端、望遠端における収差図である。実施例３はズーム比３９．０４、Ｆナンバー２．８８〜６．４９のズームレンズである。
【００１４】
図７は本発明の実施例４のズームレンズの広角端におけるレンズ断面図である。図８（Ａ）、（Ｂ）はそれぞれ実施例４のズームレンズの広角端、望遠端における収差図である。実施例４はズーム比３９．０４、Ｆナンバー２．８８〜６．４９のズームレンズである。図９は本発明の撮像装置の要部概略図である。
【００１５】
各実施例のズームレンズはビデオカメラ、デジタルカメラ、ＴＶカメラ、監視用カメラ、そして銀塩フィルムカメラ等の撮像装置に用いられる撮像光学系である。レンズ断面図において、左方が被写体側（物体側）（前方）で、右方が像側（後方）である。レンズ断面図において、ｉは物体側からのレンズ群の順番を示し、Ｌｉは第ｉレンズ群である。ＬＢは１つ以上のレンズ群を含む後群である。
【００１６】
レンズ断面図において、ＳＰは開口絞りであり、第２レンズ群Ｌ２と第３レンズ群Ｌ３の間に配置している。レンズ断面図においてＩＰは像面であり、ビデオカメラやデジタルスチルカメラの撮影光学系として使用する際にはＣＣＤセンサやＣＭＯＳセンサ等の固体撮像素子（光電変換素子）が像面に銀塩フィルム用カメラのときはフィルム面に相当する感光面が置かれる。
【００１７】
矢印は広角端から望遠端へのズーミング（変倍）に際して、各レンズ群と開口絞りＳＰの移動軌跡を示している。フォーカシングは第４レンズ群Ｌ４を移動させて行っている。無限遠から至近へのフォーカシングに際して第４レンズ群Ｌ４は像側へ移動する。収差図のうち球面収差において、実線のｄはｄ線（波長５８７．６ｎｍ）、２点鎖線のｇはｇ線（波長４３５．８ｎｍ）である。非点収差図において点線のＭはｄ線のメリディオナル像面、実線のＳはｄ線のサジタル像面である。倍率色収差はｇ線によって表している。ωは半画角（撮影画角の半分の値）（度）、ＦｎｏはＦナンバーである。
【００１８】
ポジティブリード型のズームレンズにおいては、高ズーム比化と全系の小型化を図りつつ、物体距離全般にわたり良好な光学性能を得ることが重要な課題となっている。この課題を解決するためには、各レンズ群の屈折力やレンズ構成、そして各レンズ群のズーミングに伴う移動条件を適切に設定することが重要となる。
【００１９】
本発明のズームレンズは、物体側から像側へ順に配置された、正の屈折力の第１レンズ群Ｌ１、負の屈折力の第２レンズ群Ｌ２、１つ以上のレンズ群を含む全体として正の屈折力の後群ＬＢより構成されている。広角端から望遠端へのズーミングに際して、第１レンズ群Ｌ１が物体側に移動し、ズーミングに際して隣り合うレンズ群の間隔が変化する。第２レンズ群Ｌ２は３枚以上の負レンズと２枚以上の正レンズを有している。第２レンズ群Ｌ２に含まれる負レンズの材料の屈折率の平均値をＮｎａ、第２レンズ群Ｌ２に含まれる正レンズの材料の屈折率の平均値をＮｐａとする。
【００２０】
このとき、
１．０＜Ｎｎａ／Ｎｐａ＜２．０  ・・・（１）
なる条件式を満足する。
【００２１】
次に前述の各条件式の技術的意味について説明する。条件式（１）は第２レンズ群Ｌ２に含まれる正レンズの材料の屈折率と負レンズの材料の屈折率の比を規定する。条件式（１）を満足することで、第２レンズ群Ｌ２の負の屈折力を強くしても（負の屈折力の絶対値を大きくしても）全ズーム範囲にわたり像面湾曲の変動を少なくしつつ、高ズーム比化を図りつつ、高い光学性能を得ている。
【００２２】
条件式（１）の上限を超えて第２レンズ群Ｌ２に含まれる負レンズの材料の屈折率と正レンズの材料の屈折率の比が大きくなりすぎると、第２レンズ群Ｌ２に含まれる負レンズの材料のアッベ数と正レンズの材料のアッベ数の比を大きくすることが困難になる。この結果、第２レンズ群Ｌ２での色収差の補正が困難となる。このためズーミングに伴う軸上色収差、倍率色収差の変動を小さくすることが困難となる。
【００２３】
条件式（１）の下限を超えて、第２レンズ群Ｌ２に含まれる正レンズの材料の屈折率が負レンズの材料の屈折率より高くなると、第２レンズ群Ｌ２でのペッツバール和の補正が困難となる。このためズーミングに伴う像面湾曲の変動を小さくすることが困難となる。
【００２４】
好ましくは条件式（１）の数値範囲を次の如く設定するのが良い。
１．０３＜Ｎｎａ／Ｎｐａ＜１．２０  ・・・（１ａ）
【００２５】
各実施例のズームレンズにおいて、好ましくは次の条件式のうち１以上を満足するのが良い。望遠端における全系の焦点距離をｆｔ、第２レンズ群Ｌ２の焦点距離をｆ２とする。第１レンズ群Ｌ１の焦点距離をｆ１、広角端における全系の焦点距離をｆｗとする。第２レンズ群Ｌ２に含まれる正レンズの焦点距離の平均値をｆｐａとする。第２レンズ群Ｌ２に含まれる正レンズの材料の屈折率の平均値をＮｐａとする。広角端から望遠端へのズーミングにおける第２レンズ群Ｌ２の移動量をｍ２とする。
【００２６】
ここでレンズ群の移動量とは広角端におけるレンズ群の光軸上の位置と望遠端におけるレンズ群の光軸上の位置の差をいう。移動量の符号は広角端に比べて望遠端において像側に位置するときを正、物体側に位置するときを負とする。
【００２７】
このとき、次の条件式のうち１つ以上を満足するのが良い。
０．０１＜｜ｆ２／ｆｔ｜＜０．１０  ・・・（２）
５．０＜ｆ１／ｆｗ＜４０．０        ・・・（３）
０．５＜｜ｆｐａ／ｆ２｜＜６．０    ・・・（４）
１．６０＜Ｎｐａ＜１．９５          ・・・（５）
０．０＜ｍ２／ｆｔ＜３．０          ・・・（６）
【００２８】
次に前述の各条件式の技術的意味について説明する。条件式（２）は第２レンズ群Ｌ２の焦点距離を規定する。条件式（２）を満足することで、広角端におけるレトロフォーカス型の屈折力配置（パワー配置）とすることが容易となる。この結果、広角端の広画角化と、全ズーム範囲にわたり諸収差の変動が少なく、画面全体にわたり高い光学性能を得ることが容易となる。
【００２９】
条件式（２）の下限を超えて第２レンズ群Ｌ２の負の屈折力が強くなりすぎると、ズーミングに伴う球面収差、倍率色収差の変動を小さくするのが困難となる。又、第２レンズ群Ｌ２による軸上光束の発散作用が大きくなり過ぎるために後続レンズ群の小型化が困難になってくる。条件式（２）の上限を超えて第２レンズ群Ｌ２の負の屈折力が弱くなりすぎると広角端においてレトロフォーカス型の屈折力配置とするのが難しくなり、広角端における撮像画角を広くすることが困難となる。
【００３０】
条件式（３）は第１レンズ群Ｌ１の焦点距離を規定する。条件式（３）の上限を超えて第１レンズ群Ｌ１の正の屈折力が弱くなりすぎると、変倍のために第１レンズ群Ｌ１の移動量を大きくしなければならず、この結果、望遠端においてレンズ全長が長くなってくるので良くない。又、前玉有効径の小型化が難しくなる。条件式（３）の下限を超えて第１レンズ群Ｌ１の正の屈折力が強くなりすぎると、高ズーム比化は容易となるが、望遠端において球面収差の補正が困難となる。
【００３１】
条件式（４）は第２レンズ群Ｌ２に含まれる正レンズの屈折力の平均値を規定する。条件式（４）を満足することで、第２レンズ群Ｌ２の負の屈折力を強くしても全ズーム範囲にわたり像面湾曲の変動を少なくしつつ、高ズーム比化を図りつつ、高い光学性能を得ている。
【００３２】
条件式（４）の上限を超えて第２レンズ群Ｌ２に含まれる正レンズの屈折力の平均値が弱くなりすぎると、第２レンズ群Ｌ２でのペッツバール和の補正が困難となる。このためズーミングに伴う像面湾曲の変動を小さくすることが困難となる。条件式（４）の下限を超えて第２レンズ群Ｌ２に含まれる正レンズの屈折力の平均値が強くなりすぎると、広角端において歪曲収差の補正、望遠端において球面収差の補正が困難となる。
【００３３】
条件式（５）は第２レンズ群Ｌ２に含まれる正レンズの材料の屈折率の平均値を規定する。条件式（５）を満足することで、第２レンズ群Ｌ２の負の屈折力を強くしても全ズーム範囲にわたり像面湾曲の変動を少なくしつつ、高ズーム比化を図りつつ、高い光学性能を得ている。条件式（５）の上限を超えて第２レンズ群Ｌ２に含まれる正レンズの材料の屈折率の平均値が高くなりすぎると、第２レンズ群Ｌ２でのペッツバール和の補正が困難となる。このためズーミングに伴う像面湾曲の変動を小さくすることが困難となる。
【００３４】
条件式（５）の下限を超えて第２レンズ群Ｌ２に含まれる正レンズの材料の屈折率が低くなりすぎると、第２レンズ群Ｌ２に含まれる負レンズの材料のアッベ数と正レンズの材料のアッベ数の比を大きくすることが困難となる。この結果、第２レンズ群Ｌ２での色収差の補正が困難となる。このためズーミングに伴う軸上色収差、倍率色収差の変動を小さくすることが困難となる。
【００３５】
条件式（６）は広角端から望遠端へのズーミングにおける第２レンズ群Ｌ２の移動量を適切に設定するものである。条件式（６）の上限を超え、第２レンズ群Ｌ２の移動量が大きくなりすぎると、ズーミングに伴う球面収差、倍率色収差の変動を小さくするのが困難となる。又、広角端でのレンズ全長が長くなり、前玉有効径の小型化が困難となる。条件式（６）の下限を超え、第２レンズ群Ｌ２の移動量が小さくなりすぎると、所定のズーム比を確保するため第１レンズ群Ｌ１の移動量が大きくなり、望遠端におけるレンズ全長の短縮が困難となる。
【００３６】
尚、各実施例において更に好ましくは前述の条件式（２）乃至（６）の数値範囲を以下の如く設定するのが良い。
０．０２＜｜ｆ２／ｆｔ｜＜０．０５  ・・・（２ａ）
１０．０＜ｆ１／ｆｗ＜３５．０      ・・・（３ａ）
１．０＜｜ｆｐａ／ｆ２｜＜５．０    ・・・（４ａ）
１．６５＜Ｎｐａ＜１．９０          ・・・（５ａ）
０．００＜ｍ２／ｆｔ＜０．０５      ・・・（６ａ）
【００３７】
以上のように各実施例によれば、高い結像性能を有し、高変倍比を実現すると共に、小型のズームレンズ及びそれを有する撮像装置を提供することができる。
【００３８】
各実施例において第２レンズ群Ｌ２は像側に凸面を向けた接合レンズ面を有するのが良い。これによれば色収差の補正が容易になる。
【００３９】
各実施例において後群ＬＢは次の構成よりなっている。後群ＬＢは、物体側から像側へ順に、正の屈折力の第３レンズ群Ｌ３、負の屈折力の第４レンズ群Ｌ４、正の屈折力の第５レンズ群Ｌ５から構成される。この他、後群ＬＢは、物体側から像側へ順に、正の屈折力の第３レンズ群Ｌ３、負の屈折力の第４レンズ群Ｌ４、正の屈折力の第５レンズ群Ｌ５、負の屈折力の第６レンズ群Ｌ６から構成される。
【００４０】
この他、後群ＬＢは、物体側から像側へ順に、正の屈折力の第３レンズ群Ｌ３、負の屈折力の第４レンズ群Ｌ４、負の屈折力の第５レンズ群Ｌ５、負の屈折力の第６レンズ群Ｌ６から構成される。この他、後群ＬＢは、物体側から像側へ順に、正の屈折力の第３レンズ群Ｌ３、負の屈折力の第４レンズ群Ｌ４、負の屈折力の第５レンズ群Ｌ５、から構成される。
【００４１】
次に各実施例にレンズ構成について説明する。図１の実施例１のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。第３レンズ群Ｌ３乃至第５レンズ群Ｌ５は全体として正の屈折力の後群ＬＢを構成している。
【００４２】
実施例１では広角端から望遠端へのズーミングに際して矢印の如く第１レンズ群Ｌ１は物体側へ移動している。第２レンズ群Ｌ２は第１レンズ群Ｌ１との間隔を大にしつつ像側へ移動している。第３レンズ群Ｌ３は第２レンズ群Ｌ２との間隔を小にしつつ物体側へ移動している。第４レンズ群Ｌ４は第３レンズ群Ｌ３との間隔を大にしつつ物体側へ移動している。第５レンズ群Ｌ５は第４レンズ群Ｌ４との間隔を大にしつつ物体側へ移動している。開口絞りＳＰは第３レンズ群Ｌ３との間隔を小にしつつ物体側へ移動している。
【００４３】
図３の実施例２のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群、Ｌ６は負の屈折力の第６レンズ群である。第３レンズ群Ｌ３乃至第６レンズ群Ｌ６は正の屈折力の後群ＬＢを構成している。
【００４４】
実施例２では広角端から望遠端へのズーミングに際して矢印の如く第１レンズ群Ｌ１は物体側へ移動している。第２レンズ群Ｌ２は第１レンズ群Ｌ１との間隔を大にしつつ像側へ移動している。第３レンズ群Ｌ３は第２レンズ群Ｌ２との間隔を小にしつつ物体側へ移動している。第４レンズ群Ｌ４は第３レンズ群Ｌ３との間隔を大にしつつ物体側へ移動している。第５レンズ群Ｌ５は第４レンズ群Ｌ４との間隔を大にしつつ物体側へ移動している。第６レンズ群Ｌ６は像面に対して不動である。開口絞りＳＰは第３レンズ群Ｌ３との間隔を小にしつつ物体側へ移動している。
【００４５】
図５の実施例３のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は負の屈折力の第５レンズ群である。第３レンズ群Ｌ３乃至第５レンズ群Ｌ５は正の屈折力の後群ＬＢを構成している。
【００４６】
実施例３では広角端から望遠端へのズーミングに際して矢印の如く第１レンズ群Ｌ１は物体側へ移動している。第２レンズ群Ｌ２は第１レンズ群Ｌ１との間隔を大にしつつ像側へ移動している。第３レンズ群Ｌ３は第２レンズ群Ｌ２との間隔を小にしつつ物体側へ移動している。第４レンズ群Ｌ４は第３レンズ群Ｌ３との間隔を大にしつつ物体側へ移動している。第５レンズ群Ｌ５は第４レンズ群Ｌ４との間隔を大にしつつ物体側へ移動している。開口絞りＳＰは第３レンズ群Ｌ３との間隔を小にしつつ物体側へ移動している。
【００４７】
図７の実施例４のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は負の屈折力の第５レンズ群、Ｌ６は正の屈折力の第６レンズ群である。第３レンズ群Ｌ３乃至第６レンズ群Ｌ６は正の屈折力の後群ＬＢを構成している。
【００４８】
実施例４では広角端から望遠端へのズーミングに際して矢印の如く第１レンズ群Ｌ１は物体側へ移動している。第２レンズ群Ｌ２は第１レンズ群Ｌ１との間隔を大にしつつ像側へ移動している。第３レンズ群Ｌ３は第２レンズ群Ｌ２との間隔を小にしつつ物体側へ移動している。第４レンズ群Ｌ４は第３レンズ群Ｌ３との間隔を大にしつつ物体側へ移動している。第５レンズ群Ｌ５は第４レンズ群Ｌ４との間隔を大にしつつ物体側へ移動している。第６レンズ群Ｌ６は像面に対して不動である。開口絞りＳＰは第３レンズ群Ｌ３との間隔を小にしつつ物体側へ移動している。
【００４９】
各実施例においてフォーカシングは、第４レンズ群Ｌ４を光軸方向に移動させて行っているが、ズームレンズ全体又は任意の１つのレンズ群を移動させて行っても良い。
【００５０】
各実施例において、第３レンズ群Ｌ３は、光軸に対して垂直方向の成分を持つように移動して、ズームレンズ全体が振動したときの像ぶれを補正している。即ち防振を行っている。
【００５１】
次に本発明のズームレンズを撮像光学系として用いた実施例を図９を用いて説明する。図９において、１０は撮像装置の一例としての図、１１は本発明のズ−ムレンズによって構成された撮像光学系、１２は撮像光学系１１によって形成された被写体像を受光するＣＣＤセンサやＣＭＯＳセンサ等の固体撮像素子（光電変換素子）を示す。又、１３は撮像素子１２が受光した被写体像を記録する記録手段、１４は不図示の表示素子に表示された被写体像を観察するためのファインダ−である。上記表示素子は液晶パネル等によって構成され、撮像素子１２上に形成された披写体像が表示される。
【００５２】
このように本発明のズームレンズをデジタルカメラ等の撮像装置に適用することにより、高い光学性能を有した撮像装置を実現している。尚、本発明はクイックリターンミラーのないＳＬＲ（Ｓｉｎｇｌｅ  ｌｅｎｓ  Ｒｅｆｌｅｘ）カメラにも同様に適用することができる。尚、本発明のズームレンズはビデオカメラにも同様に適用することができる。
【００５３】
次に、実施例１乃至４に対応する数値データ１乃至４を示す。数値データにおいて、ｉは物体側から数えた面の順序を示す。ｒｉはレンズ面の曲率半径、ｄｉは第ｉ面と第ｉ＋１面との間のレンズ肉厚および空気間隔、ｎｄｉ、νｄｉはそれぞれｄ線に対する第ｉ番目のレンズの材料の屈折率、アッベ数を示す。
【００５４】
また非球面形状はＲを近軸曲率半径、ｋを離心率、Ａ４、Ａ６、Ａ８、Ａ１０を非球面係数、光軸からの高さｈの位置での光軸方向の変位を面頂点を基準にしてｘとするとき、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０
で表示される。
【００５５】
各実施例において、バックフォーカス（ＢＦ）はレンズ最終面から近軸像面までの距離である。レンズ全長は最も物体側のレンズ面から最終レンズ面までの距離にバックフォーカスを加えた値である。また、各実施例における上述した各条件式との対応を表１に示す。 
【００５６】
[数値データ１]
単位 mm
面データ
面番号       r        d      nd         νd       有効径
1        343.797    1.90   1.83481    42.7       51.98
2         87.984    5.24   1.49700    81.5       51.65
3       -812.146    0.10                         51.70
4        100.004    4.00   1.43875    94.9       51.89
5       1235.196    0.10                         51.78
6         75.761    4.17   1.49700    81.5       51.07
7        285.400  (可変)                         50.77
8         39.835    0.65   2.00100    29.1       16.56
9          8.135    4.44                         12.53
10        -22.209    3.18   1.95906    17.5       12.00
11         -8.890    0.50   1.95375    32.3       11.85
12         46.968    0.10                         11.57
13         19.848    4.37   1.76182    26.5       11.61
14        -12.852    0.18                         11.10
15        -11.860    0.50   1.95375    32.3       10.87
16        -60.590  (可変)                         10.78
17(絞り)    ∞     (可変)                          8.1918
18*        10.924    4.22   1.49710    81.6        8.64
19*       -24.540    6.48                          8.38
20         55.902    0.60   1.95375    32.3        6.80
21          7.639    3.31   1.49700    81.5        6.67
22        497.956    1.23                          7.09
23         15.132    2.60   1.51742    52.4        7.52
24        -28.072  (可変)                          7.50
25        -63.050    0.45   1.80400    46.6        6.97
26          6.661    2.70   1.83400    37.2        6.91
27         31.302  (可変)                          6.80
28         17.352    2.35   1.72047    34.7        6.92
29        -17.073    0.45   1.91082    35.3        6.72
30         33.541  (可変)                          6.65
像面        ∞   
【００５７】
非球面データ
第18面
K = 0.00000e+000  A 4=-1.01400e-004  A 6=-1.26876e-006  A 8= 2.85674e-009  A10=-1.76987e-010  
第19面
K = 0.00000e+000  A 4= 5.37987e-005  A 6=-1.12580e-006  
各種データ
ズーム比    94.24 
広角     中間     望遠
焦点距離       3.69    10.56   347.74  
Fナンバー      2.88     5.00     6.69  
半画角（度）  41.98    20.16     0.64  
像高           3.32     3.88     3.88  
レンズ全長   101.29   110.40   195.00  
BF             2.99    10.34    14.99  
d 7            0.89    19.14   105.33  
d16           33.36     6.97     0.78  
d17            5.63    12.01     0.31  
d24            3.21     2.38     4.86  
d27            1.37     5.73    14.92  
d30            2.99    10.34    14.99  
レンズ群データ
群  始面    焦点距離  
1    1     123.68        
2    8      -7.36        
3   18      17.31        
4   25     -28.34        
5   28     178.94        
【００５８】
[数値データ２]
単位 mm
面データ
面番号       r        d      nd         νd       有効径
1        360.211    1.90   1.83481    42.7       51.98
2         90.202    5.16   1.49700    81.5       51.67
3       -785.099    0.10                         51.72
4        102.095    3.98   1.43875    94.9       51.91
5       1424.570    0.10                         51.80
6         77.150    4.08   1.49700    81.5       51.10
7        287.213  (可変)                         50.81
8         38.718    0.65   2.00100    29.1       17.69
9          8.418    4.47                         13.29
10        -26.485    2.67   1.95906    17.5       12.96
11        -10.069    0.50   1.95375    32.3       12.83
12         48.916    0.10                         12.46
13         18.506    5.21   1.76182    26.5       12.47
14         -9.546    0.50   1.95375    32.3       11.86
15       -112.329  (可変)                         11.64
16(絞り)    ∞     (可変)                          8.36
17*        11.285    3.38   1.49710    81.6        8.71
18*       -26.330    7.08                          8.58
19         63.199    0.60   1.95375    32.3        6.82
20          7.946    1.78   1.49700    81.5        6.71
21        498.745    2.58                          6.89
22         16.452    1.68   1.51742    52.4        7.68
23        -25.329  (可変)                          7.69
24        -59.283    0.45   1.80400    46.6        6.98
25          6.610    2.62   1.83400    37.2        6.94
26         31.700  (可変)                          6.85
27         17.554    2.90   1.72047    34.7        6.99
28        -16.365    0.45   1.91082    35.3        6.77
29         33.999  (可変)                          6.75
30         34.620    0.40   1.48749    70.2        7.81
31         26.861    1.30                          7.82
像面        ∞   
【００５９】
非球面データ
第17面
K = 0.00000e+000  A 4=-8.01992e-005  A 6=-1.20378e-006  A 8= 2.19514e-009  A10=-1.37429e-010  
第18面
K = 0.00000e+000  A 4= 6.16236e-005  A 6=-1.10629e-006  
各種データ
ズーム比    94.24 
広角     中間     望遠
焦点距離       3.69    11.71   347.74  
Fナンバー      2.88     5.00     6.69  
半画角（度）  41.98    18.31     0.64  
像高           3.32     3.88     3.88  
レンズ全長   104.13   118.82   196.70  
BF             1.30     1.30     1.30  
d 7            0.75    26.44   106.88  
d15           36.61     7.89     1.30  
d16            5.77    12.60     0.30  
d23            4.45     3.64     5.96  
d26            1.42     6.23    15.39  
d29            0.50     7.40    12.25  
ズームレンズ群データ
群  始面    焦点距離  
1    1     125.94       
2    8      -7.79     
3   17      17.91     
4   24     -27.98    
5   27     182.84      
6   30    -250.08      
【００６０】
[数値データ３]
単位 mm
面データ
面番号       r        d      nd         νd       有効径
1        496.874    1.95   1.83481    42.7       54.60
2         87.578    6.23   1.49700    81.5       54.25
3       -405.741    0.10                         54.33
4         86.814    5.08   1.43387    95.1       54.67
5       1477.517    0.10                         54.53
6         74.474    4.69   1.49700    81.5       53.52
7        273.193  (可変)                         53.13
8*       202.743    1.00   1.61881    63.9       21.96
9*        13.375    6.26                         16.58
10        -15.558    1.41   1.59270    35.3       12.89
11        -10.960    0.70   1.65160    58.5       12.57
12         56.444    0.09                         11.65
13         36.703    3.65   1.75211    25.1       11.55
14        -10.083    0.60   2.00100    29.1       11.13
15        -46.495  (可変)                         11.73
16(絞り)    ∞     (可変)                         12.12
17*        15.041    7.06   1.61881    63.9       19.30
18*       -43.054    5.41                         18.89
19         64.734    0.60   2.00100    29.1       15.84
20         10.652    7.54   1.49700    81.5       14.77
21        -64.864    1.00                         15.43
22         21.503    1.99   1.66680    33.0       15.78
23        100.104  (可変)                         15.59
24        115.635    1.91   1.80518    25.4       14.56
25        -48.282    0.60   1.85135    40.1       14.31
26*        29.558  (可変)                         13.90
27         19.583    0.60   1.91082    35.3       14.00
28          8.792    8.16   1.63980    34.5       13.20
29        -12.028    0.60   1.85135    40.1       13.00
30*       109.484  (可変)                         13.23
像面        ∞   
【００６１】
非球面データ
第8面
K = 0.00000e+000  A 4= 1.37866e-005  A 6= 2.28356e-007  A 8=-1.26460e-009  A10= 6.06650e-012  
第9面
K = 0.00000e+000  A 4=-1.31993e-005  A 6= 1.59962e-007  
第17面
K = 0.00000e+000  A 4=-3.55446e-005  A 6=-7.70996e-008  A 8= 4.64465e-013  A10=-2.50852e-012  
第18面
K = 0.00000e+000  A 4= 2.00653e-005  A 6=-3.04950e-008  
第26面
K = 0.00000e+000  A 4=-3.53416e-006  A 6= 3.48731e-008  A 8=-3.08236e-010  A10=-1.77215e-012  
第30面
K = 0.00000e+000  A 4=-6.51631e-005  A 6=-2.36081e-007  A 8=-3.22579e-009  A10= 1.29720e-011  
各種データ
ズーム比    39.04 
広角     中間     望遠
焦点距離       9.06    32.81   353.84  
Fナンバー      2.88     5.00     6.49  
半画角（度）  36.82    13.13     1.28  
像高           6.79     7.65     7.89  
レンズ全長   116.63   156.59   200.00  
BF             4.00    18.40    11.95  
d 7            1.78    39.55    87.81  
d15           13.65     2.87     0.70  
d16           22.05    19.00     0.30  
d23            3.56     1.03     5.87  
d26            4.25     8.41    26.05  
d30            4.00    18.40    11.95  
レンズ群データ
群  始面    焦点距離  
1    1     115.16    
2    8     -11.09    
4   17      21.37    
5   24     -44.40    
6   27    -146.54    
【００６２】
[数値データ４]
単位 mm
面データ
面番号       r        d      nd         νd       有効径
1        483.310    1.95   1.83481    42.7       54.61
2         82.593    6.46   1.49700    81.5       54.22
3       -431.920    0.10                         54.32
4         89.191    4.99   1.43387    95.1       54.74
5       1745.214    0.10                         54.61
6         68.659    5.25   1.49700    81.5       53.62
7        320.110  (可変)                         53.25
8*      -900.033    1.00   1.61881    63.9       25.48
9*        14.400    7.11                         18.90
10        -18.143    1.40   1.59270    35.3       16.64
11        -14.205    0.70   1.65160    58.5       16.44
12         52.384    0.08                         15.69
13         41.276    5.14   1.75211    25.1       15.66
14        -12.182    0.60   2.00100    29.1       15.27
15        -44.601  (可変)                         15.29
16(絞り)    ∞     (可変)                         15.75
17*        20.308    5.78   1.61881    63.9       18.21
18*       -51.865    7.41                         18.12
19         63.106    0.60   2.00100    29.1       16.00
20         14.632    6.44   1.49700    81.5       15.43
21       -132.649    1.01                         15.73
22         34.133    2.06   1.57099    50.8       15.84
23       -113.273  (可変)                         15.72
24         92.152    1.42   1.74077    27.8       15.19
25        -59.618    0.60   1.85135    40.1       15.04
26*        41.286  (可変)                         14.67
27         31.800    0.60   1.91082    35.3       13.72
28          8.916   10.64   1.67270    32.1       13.02
29         -9.720    0.60   1.85135    40.1       12.96
30*       105.099  (可変)                         13.45
31         30.346    5.19   1.67270    32.1       15.79
32        -19.082    0.60   1.92286    18.9       15.69
33        174.720    1.16                         15.88
像面        ∞   
【００６３】
非球面データ
第8面
K = 0.00000e+000  A 4= 3.30836e-005  A 6=-1.08998e-007  A 8= 2.97468e-010  A10= 4.99427e-013  
第9面
K = 0.00000e+000  A 4= 1.36483e-005  A 6=-3.48677e-008  
第17面
K = 0.00000e+000  A 4=-1.66389e-005  A 6=-1.69780e-008  A 8=-6.55396e-011  A10= 1.32419e-013  
第18面
K = 0.00000e+000  A 4= 1.01754e-005  A 6=-1.62144e-008  
第26面
K = 0.00000e+000  A 4=-2.19021e-006  A 6= 9.06439e-009  A 8=-6.22324e-010  A10= 4.47339e-012  
第30面
K = 0.00000e+000  A 4=-7.17992e-005  A 6=-2.39316e-007  A 8=-3.02598e-010  A10=-2.85114e-011  
各種データ
ズーム比    39.04 
広角     中間     望遠
焦点距離       9.06    44.96   353.84  
Fナンバー      2.88     5.00     6.49  
半画角（度）  37.14     9.95     1.28  
像高           6.86     7.89     7.89  
レンズ全長   141.87   182.91   206.96  
BF             1.16     1.16     1.16  
d 7            0.99    46.04    78.47  
d15           25.37     5.72     0.69  
d16           25.19    22.23     0.28  
d23            1.16     1.06     9.87  
d26            9.68    12.16    23.64  
d30            0.49    16.71    15.01  
d33            1.16     1.16     1.16  
レンズ群データ
群  始面    焦点距離  
1    1     108.93     
2    8     -12.55   
4   17      24.41   
5   24     -70.19   
6   27     -42.12   
7   31     197.71   
【００６４】
【表１】
2018146758.tif 000003
【符号の説明】
【００６５】
Ｌ１：第１レンズ群      Ｌ２：第２レンズ群      Ｌ３：第３レンズ群
Ｌ４：第４レンズ群      Ｌ５：第５レンズ群      Ｌ６：第６レンズ群
ＬＢ：後群      ＳＰ：開口絞り
【図１】
2018146758.tif 000004
【図２】
2018146758.tif 000005
【図３】
2018146758.tif 000006
【図４】
2018146758.tif 000007
【図５】
2018146758.tif 000008
【図６】
2018146758.tif 000009
【図７】
2018146758.tif 000010
【図８】
2018146758.tif 000011
【図９】
2018146758.tif 000012